(57)【要約】【課題】引留クランプカバーが２つのカバー部材の一方に係止孔及び引掛け孔が穿たれた折り曲げ可能な締結ベルトを設け、カバー部材の他方に締結ベルトの係止孔に係止可能な係止突起を設けて、係止突起と締結ベルトの係止孔とを係止させる構造を有する場合に、引き掛け孔に差し込んで締結ベルトを操作することで、締結ベルトと係止突起との係止状態の解除及び係止状態の形成に好適な間接活線作業用先端工具を提供する。【解決手段】引留クランプカバー１の合わせ目に差し込んで使用する先端部１７と共用操作棒１０１に取り付けるための取付部２０とが基体１６に形成された間接活線作業用先端工具１５であって、基体１６の相対的に広い側面１６ａから直線状に立設すると共に側面が螺子切りされた棒状体２４を有し、この棒状体２４には当該棒状体２４の長手方向に沿って変位可能に環状体２５が嵌合されたものとする。【選択図】図２
2013236496.tif 000002
【特許請求の範囲】
【請求項１】
肉厚の薄い略長方形の板状の基体を有して構成され、前記基体の長手方向の一方端側にはカバーの合わせ目に差し込んで使用する先端部が形成され、前記基体の長手方向の他方端側には間接活線工具に取り付けるための取付部が設けられていると共に、
前記基体の相対的に広い側面から直線状に立設した棒状体を有し、この棒状体は、環状部材が当該棒状体の長手方向に沿って変位可能に装着されていることを特徴とする間接活線作業用先端工具。
【請求項２】
前記棒状体の側面は螺子切りされて複数の突部を有していると共に前記環状部材の通孔の内面も前記棒状体の螺子切りされた側面と螺合可能に螺子切りされていることを特徴とする請求項１に記載の間接活線作業用先端工具。
【請求項３】
前記基体の相対的に広い側面に、前記先端部を前記保護カバーの合わせ目に差し込むときの前記先端部の最適な深度を記す目印が記されていることを特徴とする請求項１又は請求項２に記載の間接活線作業用先端工具。
【発明の詳細な説明】
【技術分野】
【０００１】
この発明は、間接活線作業用の共用操作棒等の先端に装着されるもので、引留クランプカバー等の保護カバーの取り付けや取り外しの作業に好適な間接活線作業用先端工具の構造に関する。
【背景技術】
【０００２】
引留クランプカバー等の保護カバーの取り付けや取り外しの作業において、従来では、このような保護カバーの取り付けや取り外しの作業専用の先端工具がなく、例えば特許文献１の図９に示されるようなバインド打ち器等を用いて保護カバーの取り付けや取り外しの作業を行うのが一般的であった。
【０００３】
もっとも、保護カバーの取付ホック部の合せ目にバインド打ち器を差し込んで捻って保護カバーの取り付け部同士を連結していたホックの係合状態を解除する動作を行うことにより、保護カバーが損傷するおそれがあった。また、バインド打ち器を利用して保護カバーを開く作業を行うにはある程度の熟練を要し、作業経験の少ない作業員が保護カバーを開く作業を行うと作業時間も長時間化し、作業員の疲労も大きくなっていた。
【０００４】
このため、例えば特許文献２に示されるように、保護カバーの取付ホック部におけるホックの係合状態の解除を行うための専用工具たる間接活線先端工具が開発され、公知になっている。この特許文献２に記載の間接活線先端工具は、肉厚の薄い略長方形の板状の基体を有して構成されると共に、この基体の長手方向の一方端側には略Ｕ字状の先端部が形成され、前記基体の長手方向の他方端側にはアダプタを介して共用操作棒等の先端に取り付けるための取付部が形成されたものとなっている。
【０００５】
一方で、例えば特許文献３の明細書の段落番号「００３６」、「００３７」及び図７、図８に示されるように、この種の引留クランプカバーについて、当該カバーの下部に設けられた２つの取付ホック部では一対のカバー部材同士の密着が容易でない場合に対応すべく、一方のカバー部材には、係止孔及び引掛け孔が穿たれた折り曲げ可能な締結ベルトを設け、他方のカバー部材には前記係止孔と係止可能な係止突起を設け、締結ベルトを折り曲げて係止突起に締結ベルトの係止孔を係止させることで、カバー部材同士の密着性を確保した引留クランプカバーも開発されている。この引留クランプカバーにおける締結ベルトの係止孔と係止突起との係止状態からの解除に関して、特許文献３では、締結ベルトの引き掛け孔に突起状の部材を引き掛けて引っ張る手順が示されている。
【先行技術文献】
【特許文献】
【０００６】
【特許文献１】特開２００７−１０４７９１号公報
【特許文献２】特開２０１０−４６５７号公報
【特許文献３】特願２０１２−５９５２３号
【発明の概要】
【発明が解決しようとする課題】
【０００７】
もっとも、特許文献２に示される間接活線先端工具は、細長い突起状の部位を有していないので、特許文献３に示される引留クランプカバーにおいて、締結ベルトの引き掛け孔に引き掛けて締結ベルトを操作することによる、締結ベルトの係止孔と係止突起との係止状態の解除及び係止状態の形成を、この特許文献２に示される間接活線先端工具で行うことは容易ではない。
【０００８】
また、特許文献１に示されるバインド打ち器では、バインド打ち器の先端部分の外径寸法は本来の用途に沿った寸法が採られているもので、締結ベルトの引き掛け孔に引き掛けるのに好適な寸法値が採られておらず、しかもバインド打ち器の先端部分は鍵爪状等に曲がった形状をなしているので、バインド打ち器の先端部分を締結ベルトの引き掛け孔に引き掛けて引っ張る際に、締結ベルトの引き掛け孔の周縁部位に余分な力が加わり、引留クランプカバーの締結ベルトの引き掛け孔の周縁部位等が破損したり、引き掛け孔が変形したりするおそれがある。
【０００９】
そこで、この発明は、引留クランプカバー等の保護カバーで、２つのカバー部材のうちの一方に係止孔及び引掛け孔が穿たれた折り曲げ可能な締結ベルトを設け、２つのカバー部材の他方に締結ベルトの係止孔に係止可能な係止突起を設けて、係止突起に締結ベルトの係止孔を係止させる構造を採ったときに、締結ベルトの引き掛け孔に差し込んで締結ベルトを操作することで、締結ベルトの係止孔と係止突起との係止状態の解除や締結ベルトの係止孔と係止突起との係止状態の形成に好適な間接活線作業用先端工具を提供することを目的とする。
【課題を解決するための手段】
【００１０】
この発明に係る間接活線作業用先端工具は、肉厚の薄い略長方形の板状の基体を有して構成され、前記基体の長手方向の一方端側にはカバーの合わせ目に差し込んで使用する先端部が形成され、前記基体の長手方向の他方端側には間接活線工具に取り付けるための取付部が設けられていると共に、前記基体の相対的に広い側面から直線状に立設した棒状体を有し、この棒状体は、環状部材が当該棒状体の長手方向に沿って変位可能に装着されていることを特徴としている（請求項１）。ここで、保護カバーとは、例えば引留クランプカバー等を含む高圧カバーである。先端部は、例えば基体の長手方向の端に進むにつれて暫時薄肉になり、また、先端部の形状は、略Ｕ字状をなしている。更に、棒状体の外径寸法は、保護カバーの締結ベルトに形成された引き掛け孔に差し込んで引っ張るのに好適な大きさをなしている。そして、間接活線工具としては、例えば共用操作棒やホットスティック等と称される一般的な工具が用いられる。
【００１１】
これにより、保護カバーにおいて、取付ホック部とは別に締結ベルトも用いて２つのカバー部材を接合した状態からその接合状態を解除したり、反対に２つのカバー部材を接合したりする場合に、締結ベルトの引き掛け孔を利用して締結ベルトの操作を行うようになっているときには、この発明に係る間接活線作業用先端工具の棒状体を引き掛け孔に差し込んで締結ベルトの操作を行うにあたって、保護カバーの引き掛け孔に対し余分な力が加わらないようにすることが可能である。そして、棒状体に装着された環状体を有することで、締結ベルトの引き掛け孔に棒状体を差し込んで係止孔に係止された係止突起を係止孔から外したり反対に係止孔を係止突起に外挿して係止したりする際に、係止突起の面に環状体を当接させ、この環状体の係止突起に当接された部位を支点として棒状体を揺動することにより、梃子の原理にて、締結ベルトの係止孔を係止突起から外したり、締結ベルトの係止孔を係止突起に外挿して係止したりしやすくなる。
【００１２】
そして、この発明に係る間接活線作業用先端工具では、前記棒状体の側面は螺子切りされて複数の突部を有していると共に前記環状部材の通孔の内面も前記棒状体の螺子切りされた側面と螺合可能に螺子切りされていることを特徴としている（請求項２）。棒状体は、例えば長手寸法が約８ｃｍのボルトであり、環状体は例えばナットである。これにより、締結ベルトの引き掛け孔に棒状体を差し込んで棒状体を操作する際に、棒状体の側面に有する複数の突部により棒状体が引き掛け孔の内面に対して滑ることが防止される。
【００１３】
この発明に係る間接活線作業用先端工具では、前記基体の相対的に広い側面に、前記先端部を前記保護カバーの合わせ目に差し込むときの前記先端部の最適な深度を記す目印が記されていることを特徴としている（請求項３）。これにより、先端部を保護カバーの合わせ目に差し込む際に、先端部が保護カバーの合わせ目に対し不用意に深く差し込まれたり、反対に先端部の差し込みの深度が浅くなったりすることが抑制される。
【発明の効果】
【００１４】
以上のように、請求項１から請求項３に記載の発明によれば、間接活線作業用先端工具は直線状の棒状体を有するので、引留クランプカバー等の保護カバーにおいて、取付ホック部とは別に締結ベルトも用いて２つのカバー部材を接合したりその接合を解除したりするにあたって、締結ベルトの引き掛け孔を利用して締結ベルトの操作を行うようになっていても、この棒状体を締結ベルトの引き掛け孔に差し込んで締結ベルトの操作を行うことが可能である。更に、間接活線作業用先端工具は保護カバーの取り付け及び取り外しのための専用品であることから、棒状体の外径寸法を、保護カバーの締結ベルトに形成された引き掛け孔に差し込むのに好適な大きさとすることが可能であるので、棒状体を引き掛け孔に差し込んだ状態で間接活線作業用先端工具を操作するときに、引き掛け孔に余分な力が加わり、引き掛け孔の形状が変形したり、引き掛け孔の周縁部位が破損したりすることを防止することが可能である。
【００１５】
更に、請求項１から請求項３に記載の発明によれば、間接活線作業用先端工具は棒状体に装着された環状体を更に有するので、締結ベルトの引き掛け孔に棒状体を差し込んで係止孔に係止された係止突起から係止孔を外したり、反対に係止孔を係止突起に外挿して係止したりする際に、係止突起の面に環状体を当接させ、この環状体の係止突起に当接された部位を支点として棒状体を揺動することにより、梃子の原理にて、締結ベルトの係止孔を係止突起から容易に外したり、締結ベルトの係止孔を係止突起に容易に外挿して係止したりすることが可能である。
【００１６】
特に請求項２に記載の発明によれば、締結ベルトの引き掛け孔に棒状体を差し込んで棒状体を操作する際に、棒状体の側面に有する複数の突部により棒状体が引き掛け孔の内面に対して滑るのを防止することが可能である。
【００１７】
特に請求項３に記載の発明によれば、先端部をカバーの合わせ目に差し込む際に、目印があるので、先端部がカバーの合わせ目に対し不用意に深く差し込んで保護カバーを損傷させたり、反対に先端部の差し込みの深度が浅くなって保護カバーの合わせ目を開くことができなかったりするのを防止することができる。
【図面の簡単な説明】
【００１８】
【図１】図１は、この発明に係る間接活線作業用先端工具が使用される保護カバーの一例である引留クランプカバーの構成を示した説明図であり、図１（ａ）はこの引留クランプカバーの背面図、図１（ｂ）はこの引留クランプカバーの側面図である。
【図２】図２は、この発明に係る間接活線作業用先端工具の構成を示した説明図であり、図２（ａ）はこの間接活線作業用先端工具の側面図、図２（ｂ）はこの間接活線作業用先端工具の正面図である。
【図３】図３は、図２に示される間接活線作業用先端工具の棒状体を図１に示される引留クランプカバーの締結ベルトの引き掛け孔に挿入した状態を示す説明図である。
【図４】図４は、環状体を支点として間接活線作業用先端工具を操作することにより、梃子の原理にて締結ベルトの係止孔を係止突起との係止状態から解除する工程を示した説明図であり、図４（ａ）は締結ベルトの係止孔が係止突起との係止状態から解除される前の状態を示す工程図、図４（ｂ）は締結ベルトの係止孔が係止突起との係止状態からほぼ解除された状態を示す工程図である。
【図５】図５は、間接活線作業用先端工具の基体に、引留クランプカバーの取付ホック部への先端部の差し込み時に最適な深度と成るように、目印を記した構成を示す説明図である。
【発明を実施するための形態】
【００１９】
以下、この発明の実施形態を図面に基づいて説明する。
【００２０】
図１において、この発明に係る間接活線作業用先端工具１５が使用される保護カバーの一例として、引留クランプカバー１が示されている。この引留クランプカバー１は、高圧配電線の引留クランプ（図示せず。）を絶縁するために当該引留クランプを覆うものであり、２つのカバー部材２ａ、２ｂと、このカバー部材２ａ、２ａを連結するヒンジ部３とを有して構成されている。
【００２１】
また、引留クランプカバー１は、ヒンジ部３の反対側端において２つの取付ホック部４を有している。各取付ホック部４は、嵌合孔５を有する延出片４ａと、嵌合孔５に嵌合可能な外径寸法のホック６を有する延出片４ｂとで構成されている。そして、引留クランプカバー１は、カバー部材２ａ、２ａが閉じられることにより、高圧配電線が引き出される２つの引き出し部７、８と、碍子１４との連結部９とを有し、内部に引留クランプ等を収納可能な空洞を備えた筒状体となる。
【００２２】
そして、引留クランプカバー１は、締結ベルト１０がカバー部材２ｂに設けられており、この締結ベルト１０は、図４にも示されるように、引留クランプカバー１の厚み方向に曲折することが可能なようにそのカバー部材２ｂと連結する基端側が曲折部位１０ａとなっていると共に、下記する係止突起１３の頭部１３ｂが挿入し締結ベルト１０と係止することが可能な係止孔１１と、下記する間接活線作業用先端工具１５の棒状体２４が円滑に挿入可能な引き掛け孔１２とが形成されている。更に、引留クランプカバー１は、係止突起１３がカバー部材２ａに設けられており、この係止突起１３は、図４にも示されるように、カバー部材２ａの周縁部に面しつつ延びる延出部１３ａと、係止孔１１の孔の形状と略同じか若干大きな断面形状を有する頭部１３ｂとで構成されている。
【００２３】
これにより、締結ベルト１０を係止突起１３側に近接するように円弧状に揺動して締結ベルト１０の係止孔１１を、係止突起１３の頭部１３ｂが係止孔１１の開口よりも突出するまで、係止突起１３に外挿することにより、カバー部材２ａとカバー部材２ｂとは強く接合されて隙間なく密着することが可能となり、締結ベルト１０を係止突起１３から離れる方向に円弧状に揺動することで、係止突起１３から係止孔１１が外れて、締結ベルト１０によるカバー部材２ａ、２ｂの密着も解除される。
【００２４】
図２において、上記した構成の引留クランプカバー１への使用に好適な間接活線作業用先端工具１５の一例が示されている。この間接活線作業用先端工具１５は、略長方形の板状の基体１６と、この基体１６の相互に対峙する相対的に広い側面１６ａ、１６ｂのうちの側面１６ａから立設された棒状体２４とを有して構成されている。基体１６は、例えばステンレス薄鋼板等の肉厚の薄い鋼板が用いられている。
【００２５】
そして、基体１６は、長手方向の一方側に先端部１７を有し、この先端部１７は保護カバーの合せ目に差し込みやすいように長手方向の先端に進むにつれて暫時薄肉になった、差し込み部位１８を有している。更に、先端部１７は、図２（ｂ）に示されるように、取付ホック部４の延出片４ａ、４ｂの合せ目に当該延出片４ａ、４ｂの延出方向側端から差し込む際に、取付ホック部４の嵌合孔５やホック６に邪魔されることなく、深く差し込むことが可能なように、途中から先端部１７ａと先端部１７ｂとに分かれて、間に窪み１９を有するＵ字状になっており、それぞれの先端部１７ａ、１７ｂに前記した差し込み部位１８を有するものとなっている。
【００２６】
また、基体１６は、長手方向の他方側に共用操作棒１０１の接続部１０２に取り付けるための取付部２０を有している。
【００２７】
このうち、共用操作棒１０１の接続部１０２は、それ自体は公知のもので、頭部１０３の頂部から突出した突起部１０４と頭部１０３の側面から対称な位置となるように突出した２つの側方突起部１０５とで構成されている。符号１０６はロックナットを指しており、このロックナット１０６を所定方向に回転させることで取付部２０と強固に締結し合うようにすることができる。
【００２８】
これに対し、取付部２０は、共用操作棒１０１の接続部１０２を構成する頭部１０３を挿入可能な有底の孔部２１がその下端側から軸方向に沿って形成されている。そして、孔部２１は、当該孔部２１の中心を基準として略対象となるように位置に２つのスリット２２が形成されている。これらのスリット２２は、孔部２１の開口端から当該孔部２１の軸方向に沿ってその途中（接続部１０２の下端から突起部１０４までと同じ寸法）まで延びた後に当該孔部２１の径方向の両側に向って延びる略Ｔ字状の形状をなしている。すなわち、スリット２２は、特に図２（ａ）に示されるように、孔部２１の軸方向に沿って延びるスリット部２２ａと孔部２１の径方向に沿って延びるスリット部２２ｂとから構成されている。
【００２９】
このような間接活線作業用先端工具１５の取付部２０と共用操作棒１０１の接続部１０２との構成により、側方突起部１０５をスリット２２のスリット部２２ａに通すようにして取付部２０の孔部２１に接続部１０２の頭部１０３を押入れ、共用操作棒１０１或いは取付部２０の一方を回転させることにより、頭部１０３の側方突起部１０５がスリット２２のスリット部２２ｂの窪み部に収まり、共用操作棒１０１の接続部１０２と接続状態となる。
【００３０】
そして、間接活線作業用先端工具１５の基体１６は、相対的に広い側面１６ａ、１６ｂの両面又はいずれか一方の面に、図２（ｂ）に示されるように、当該相対的に広い側面１６ａ、１６ｂの短手方向に延びる太い直線状の目印２３を有している。この目印２３は、基体１６の窪み２０よりも取付部２０側であり、下記する棒状体２４よりも先端部１７側に配されているもので、引留クランプカバー１の取付ホック部４に先端部１７を差し込む際の最適な深度の目安を示すものとなっている。すなわち、下記する棒状体２４は、目印２３よりも基体１６側に配置されている必要がある。
【００３１】
棒状体２４は、図２（ａ）に示されるように、基体１６の相対的に広い側面１６ａから当該相対的に広い側面１６ａに対し垂直方向となるように立設した直線状のものであり、この実施形態では側面が螺子切りされたボルトの長手方向の端部が基体１６の相対的に広い側面１６ａに固定されている。但し、基体１６に相対的に広い側面１６ａから相対的に広い側面１６ｂに抜ける螺子孔（図示せず。）を形成し、この螺子孔に棒状体２４の端部を螺合し、ナット（図示せず。）を相対的に広い側面１６ｂ側から外挿することで、棒状体２４を基体１６に固定するようにしても良い。また、棒状体２４の側面は螺子切りされているとして説明したが必ずしもこれに限定されず、螺子山の代わりに環状に突出した複数の突部が形成されるものとしても良い。
【００３２】
図２（ａ）で示される棒状体２４の相対的に広い側面１６ｂから先端までの長手方向の寸法Ｌ１は、およそ８ｃｍとなっている。このように棒状体２４の長手方向寸法Ｌ１をおよそ８ｃｍと設定したのは、作業の安全基準に基づくもので、棒状体２４の長手方向寸法Ｌ１が８ｃｍ未満だと、作業員が高圧架空配線に近接するおそれ高くなるため作業員の危険性が増加し、棒状体２４の長手方向寸法Ｌ１が８ｃｍよりも大きいと、作業員が棒状体２４を操作するのが困難になることにもよる。
【００３３】
そして、棒状体２４には、図２に示されるように、円環形状の環状体２５が装着されている。この環状体２５は、円板状の本体２６の円の中心に貫通孔２７が形成されているもので、棒状体２４の長手方向に沿って変位可能であり、更には棒状体２４に対して着脱自在にもなっている。その一方で、環状体２５が棒状体２４の長手方向に安易にずれたりしないようにするために、環状体２５の貫通孔２７の内周面は、棒状体２４の側面が螺子切りされている場合には、この棒状体２４の螺子切りされた側面と螺合可能なように螺子切りされている。
【００３４】
また、環状体２５の外周面には、下記するように引留クランプカバー１の係止突起１３の面に環状体２５を当接させた際に、環状体２５がすべらないように凹凸を形成するようにしても良い。
【００３５】
次に、間接活線作業用先端工具１５を用いた引留クランプカバー１の締結ベルト１０の取り外し作業や、取り付けホック部４の取り外し作業の工程の一例について図３から図５を用いて説明する。
【００３６】
間接活線作業用先端工具１５を用いた引留クランプカバー１の締結ベルト１０の取り外し作業では、まず、図３に示されるように、共用操作棒１０１の接続部１０２と間接活線作業用先端工具１５の取付部２０とを取り付けた状態として、共用操作棒１０１を持って作業をするところ、間接活線作業用先端工具１５の棒状体２４を引留クランプカバー１の締結ベルト１０の引き掛け孔１２に挿通させる。
【００３７】
次に、図４（ａ）に示されるように、棒状体２４に装着された環状体２５を変位させる等して、引留クランプカバー１の係止突起１３の延出部１３ａに環状体２５の外周面を当接させた状態とする。
【００３８】
更に、係止突起１３の延出部１３ａに環状体２５が当接したまま間接活線作業用先端工具１５を図３の矢印方向に動かす。これにより、係止突起１３の延出部１３ａに環状体２５が当接した部位を支点とした梃子の原理の作用が働いて、締結ベルト１０ひいては締結ベルト１０が形成されたカバー部材２ｂを係止突起１３の延出方向に強く押すので、図４（ｂ）に示されるように、カバー部材２ａとカバー部材２ｂとがずれ、係止突起１３の頭部１３ｂが締結ベルト１０の係止孔１１から抜けて、締結ベルト１０の係止孔１１と係止突起１３との係止状態が解除される。
【００３９】
また、間接活線作業用先端工具１５を用いた取付ホック部４における嵌合孔５とホック６との取り外し作業では、図５に示されるように、延出片４ａと延出片４ｂとの合せ目に間接活線作業用先端工具１５の先端部１７の差し込み部位１８を差し込んで、更に基体１６の目印２３が取付ホック部４の延出方向端と重なるまで先端部１７の深度を大きくする。これにより、間接活線作業用先端工具１５の先端部１７は、窪み１９により嵌合孔５及びホック６に当たらないが嵌合孔５及びホック６を囲む状態で、延出片４ａと延出片４ｂとの間に深く差し込まれるので、先端部１７を揺動させることにより、嵌合孔５とホック６との嵌合状態が解除される。
【００４０】
そして、間接活線作業用先端工具１５による引留クランプカバー１の締結ベルト１０の取り付け作業も可能であり、その締結ベルト１０の取り付け作業の工程は、例えば開放された状態の締結ベルト１０の引き掛け孔１２に対し、間接活線作業用先端工具１５の棒状体２４の先端を引き掛け孔１２の係止突起１３側の開口から挿入し、間接活線作業用先端工具１５を操作して、締結ベルト１０を図１の想像線の状態から実線の状態となるように係止突起１３側に動かしてゆき、図４（ｂ）に示されるように、締結ベルト１０の係止孔１１について、係止突起１３の頭部１３ｂに対しその一部が外挿された状態とした後、間接活線作業用先端工具１５の環状体２５を係止突起１３の延出部１３ａに当接させて、この環状体２５が当接した部位を支点として、図４（ａ）の矢印の方向と逆方向に間接活線作業用先端工具１５を揺動させることにより行われる。これにより、梃子の原理の作用が働いて、締結ベルト１０の係止孔１１の開口部位が係止突起１３の頭部１３ｂを越えて係止突起１３の延出部１３ａまで達して、締結ベルト１０の係止孔１１と係止突起１３との係止状態が形成される。
【符号の説明】
【００４１】
１  引留クランプカバー（保護カバー）
２ａ、２ｂ  カバー部材
４  取付ホック部
４ａ  延出片
４ｂ  延出片
５  嵌合孔
６  ホック
１０  締結ベルト
１１  係止孔
１２  引き掛け孔
１３  係止突起
１３ａ  延出部
１３ｂ  頭部
１５  間接活線作業用先端工具
１６  基体
１６ａ、１６ｂ  相対的に広い側面
１７、１７ａ、１７ｂ  先端部
２０  取付部
２１  孔部
２２  スリット
２２ａ、２２ｂ  スリット部
２３  目印
２４  棒状体
２５  環状体
２６  本体
２７  貫通孔
１０１  共用操作棒（間接活線工具）
１０２  接続部
【図１】
2013236496.tif 000003
【図２】
2013236496.tif 000004
【図３】
2013236496.tif 000005
【図４】
2013236496.tif 000006
【図５】
2013236496.tif 000007